(57)【要約】【課題】プリント配線基板などを多品種、少量であっても容易に製造することができる描画方法および描画システムを提供する。【解決手段】本発明の描画方法は、複数の描画データから選択された描画データを用いて、基板上に画像を形成するものであり、識別情報が記録された識別表示部を備えるインデックス基板と描画データとを対応付ける工程と、インデックス基板と、少なくとも１つの描画される基板とを備えるロットを複数配置する工程と、インデックス基板の識別表示部を読み取り、この識別情報から、描画データとの対応関係に基づいて描画データを選択する工程と、インデックス基板と同じロットの基板に選択された描画データに基づいて、画像を形成する工程とを有する。【選択図】図３
2008250144.tif 000002
【特許請求の範囲】
【請求項１】
複数の描画データから選択された描画データを用いて、基板上に画像を形成する描画方法であって、
識別情報が記録された識別表示部を備えるインデックス基板と前記描画データとを対応付ける工程と、
前記インデックス基板と、少なくとも１つの描画される基板とを備えるロットを複数配置する工程と、
前記インデックス基板の識別表示部を読み取り、前記識別情報から、描画データとの対応関係に基づいて描画データを選択する工程と、
前記インデックス基板と同じロットの基板に、前記選択された描画データに基づいて、画像を形成する工程とを有することを特徴とする描画方法。
【請求項２】
画像が形成された後、前記インデックス基板と、このインデックス基板と同じロットで、かつ前記画像が形成された基板が、再度集積される請求項１に記載の描画方法。
【請求項３】
複数の描画データから選択された描画データを用いて、基板上に画像を形成する描画システムであって、
対応付けられた、識別情報が記録された識別表示部を備えるインデックス基板と、描画データとの対応関係を複数記憶するとともに、前記対応付けられた各描画データを記憶する記憶部と、
前記インデックス基板と、少なくとも１つの描画される基板とを備えるロットが複数配置される投入部と、
前記投入部から搬送された前記インデックス基板の識別表示部を読み取り、前記識別情報を得る読取部と、
前記読取部で得られた前記識別情報から、インデックス基板と描画データとの対応関係に基づいて、前記記憶部から描画データを選択する制御部と、
前記インデックス基板と同じロットの基板に、前記制御部により前記選択された描画データに基づいて、画像を形成する描画部とを有することを特徴とする描画システム。
【請求項４】
画像が形成された後、前記インデックス基板と、このインデックス基板と同じロットで、かつ前記画像が形成された基板が、再度集積される受取部を有する請求項３に記載の描画システム。
【発明の詳細な説明】
【技術分野】
【０００１】
本発明は、複数の描画データから選択された描画データを用いて、基板上に画像を形成するための描画方法および描画システムに関し、特に、プリント配線基板などを多品種、少量であっても容易に製造することができる描画方法および描画システムに関する。
【背景技術】
【０００２】
プリント配線基板等の製造工程において、露光機などの描画装置を用いて、プリント配線基板となる基板の描画が描画データに基づいて行われている。また、液晶ディスプレイ（ＬＣＤ）パネル等の製造工程においても、ＴＦＴ等を作成するために、露光機などの描画装置を用いて基板の描画が描画データに基づいて行うことも行われている。
これらのプリント配線基板、および液晶ディスプレイ（ＬＣＤ）パネル等を製造する際には、描画される画像の描画データを用いて、複数の基板に描画する。また、同じ描画装置で、品種、または製造工程などにより、基板毎に異なる画像を描画する。このため、描画される基板と、描画データとは、１対１に対応している。さらには、描画装置において、描画される基板は、製造工程の進捗状況、生産の優先順位などにより、適宜変更されるため、描画に必要な描画データは、基板が描画装置に搬送される直前まで決定されないことが多い。このため、描画装置による描画の直前に、人が基板を確認し、対応する描画データを選択して、描画している。このように、人手に頼っているため、描画データの選択を間違えてしまい、基板に異なる画像を形成してしまう虞がある。そこで、描画データの選択を自動化したものが提案されている（例えば、特許文献１参照）。
【０００３】
特許文献１には、プリント基板にマスクフィルムを当てて露光を行うプリント板の製造方法が開示されている。この特許文献１においては、プリント基板に品番を示すコードを設け、このコードを読み取り、プリント基板の品番を制御装置内に記憶し、プリント基板に対応するマスクフィルムを搬送装置でバーコードリーダで読み取り可能な位置まで移動させる。そして、マスクフィルムの品番を表すバーコードをバーコードリーダで読み取り、このプリント基板の品番とマスクフィルムの品番の対応を確認して、プリント基板にマスクフィルムを当てて露光を行う。
【０００４】
【特許文献１】特許第２７９４６３４号公報
【発明の開示】
【発明が解決しようとする課題】
【０００５】
特許文献１においては、プリント基板に品番を示すコードを設け、このコードを読み取り、さらにはマスクフィルムの品番をマスクフィルムのバーコードを読み取り、プリント基板の品番とマスクフィルムとを確認しているため、マスクフィルムを取り揃える段階において発生する人為的なミスをチェックでき、製造ミスによる無駄がなくなる。
【０００６】
しかしながら、特許文献１においては、プリント基板に品番を示すコードを設ける必要がある。このため、露光するプリント基板の量に伴い、作業の煩雑さが増し、プリント基板に品番を示すコードを間違えて設ける虞があるとともに、生産性を低下させる虞がある。特に、多品種、少量生産の場合には、品番を示すコードも多種類に及ぶものとなり、品番を示すコードをプリント基板に設けることが更に煩雑になり、品番を示すコードを間違えて設ける虞が更に増える。このため、生産性を更に低下させる虞がある。
なお、プリント基板は、最終的には、商品となるものであり、商品に製造工程の品番をつけることは好ましくない。
【０００７】
本発明の目的は、前記従来技術に基づく問題点を解消し、プリント配線基板などを多品種、少量であっても容易に製造することができる描画方法および描画システムを提供することにある。
【課題を解決するための手段】
【０００８】
上記目的を達成するために、本発明の第１の態様は、複数の描画データから選択された描画データを用いて、基板上に画像を形成する描画方法であって、識別情報が記録された識別表示部を備えるインデックス基板と前記描画データとを対応付ける工程と、前記インデックス基板と、少なくとも１つの描画される基板とを備えるロットを複数配置する工程と、前記インデックス基板の識別表示部を読み取り、前記識別情報から、描画データとの対応関係に基づいて描画データを選択する工程と、前記インデックス基板と同じロットの基板に、前記選択された描画データに基づいて、画像を形成する工程とを有することを特徴とする描画方法を提供するものである。
【０００９】
本発明においては、画像が形成された後、前記インデックス基板と、このインデックス基板と同じロットで、かつ前記画像が形成された基板が、再度集積されることが好ましい。
【００１０】
また、本発明の第２の態様は、複数の描画データから選択された描画データを用いて、基板上に画像を形成する描画システムであって、対応付けられた、識別情報が記録された識別表示部を備えるインデックス基板と、描画データとの対応関係を複数記憶するとともに、前記対応付けられた各描画データを記憶する記憶部と、前記インデックス基板と、少なくとも１つの描画される基板とを備えるロットが複数配置される投入部と、前記投入部から搬送された前記インデックス基板の識別表示部を読み取り、前記識別情報を得る読取部と、前記読取部で得られた前記識別情報から、インデックス基板と描画データとの対応関係に基づいて、前記記憶部から描画データを選択する制御部と、前記インデックス基板と同じロットの基板に、前記制御部により前記選択された描画データに基づいて、画像を形成する描画部とを有することを特徴とする描画システムを提供するものである。
【００１１】
本発明においては、画像が形成された後、前記インデックス基板と、このインデックス基板と同じロットで、かつ前記画像が形成された基板が、再度集積される受取部を有することが好ましい。
【発明の効果】
【００１２】
本発明の描画方法および描画システムによれば、インデックス基板と描画データとを予め対応付けておき、この対応関係を記憶しておく。そして、インデックス基板と、描画される基板とをまとめてロットにしておく。インデックス基板の識別表示部が読み取られ、これに記録された識別情報から、インデックス基板か、描画すべき基板かが判別されるとともに、インデックス基板であれば、識別情報から、対応する描画データが選択される。そして、描画データに基づいて基板が描画される。このため、描画する基板を識別するために、描画する基板にバーコード、２次元コード、品番などを付すことが不要となり、煩雑な作業が不要となるとともに、描画する基板を間違えることが減る。これにより、生産性を向上させることができる。
本発明の描画方法および描画システムによれば、特に、多品種を少量製造する場合、製造する複数種類の基板をそれぞれ識別するために、バーコード、２次元コード、品番などを基板に付す必要がなく、煩雑な作業が不要となり、更に描画する基板を間違えることが減る。このようなことから、本発明の描画方法および描画システムにおいては、多品種を少量製造する場合、生産性を更に向上させることができ、好適である。
【発明を実施するための最良の形態】
【００１３】
以下に、添付の図面に示す好適実施形態に基づいて、本発明の描画方法および描画システムを詳細に説明する。
なお、本実施形態の描画方法および描画システムは、ＬＣＤパネル、またはＣＰＵもしくは各種のメモリなどの各種の半導体デバイス、携帯電話用の集積回路、プリント配線基板等の各種の製品の製造に好適に利用可能である。
ここで、図１は、本発明の実施形態に係る描画システムを示すブロック図である。
【００１４】
図１に示す描画システム１０（以下、システム１０という）は、複数の描画データから選択された描画データを用いて、基板上に画像を形成するものであり、後述するように、例えば、インデックス基板３０ａ、３０ｂと、このインデックス基板３０ａ、３０ｂとは異なる基板３２ａ、３２ｂとを用いる。
【００１５】
本実施形態のシステム１０は、投入装置（投入部）１２、描画装置１４、および受取装置（受取部）１６を有し、投入装置１２と描画装置１４との間は搬送部（図示せず）により、インデックス基板３０ａ、３０ｂと基板３２ａ、３２ｂとが搬送され、また、描画装置１４と受取装置１６との間も搬送部（図示せず）により、インデックス基板３０ａ、３０ｂと基板３２ａ、３２ｂとが搬送される。
【００１６】
ここで、インデックス基板３０ａについて説明する。図２に示すように、インデックス基板３０ａは、その表面Ｓに識別表示部４０が設けられている。この識別表示部４０は、インデックス基板３０ａの識別情報（品番、または識別記号など）が記録されたものである。この識別表示部４０としては、例えば、ＱＲコード（登録商標）などの２次元コード、バーコードを用いることができ、また、識別情報を示す品番、または識別記号が記録されるものでもよい。
なお、識別表示部４０として、ＲＦ−ＩＤ（Radio Frequency Identification）を用いることができ、このＲＦ−ＩＤとしては、例えば、ＩＣタグを用いることができる。このＩＣタグに、インデックス基板３０ａの識別情報が記録される。
【００１７】
ここで、基板３２ａ、３２ｂとしては、例えば、絶縁層、導体層、またはＳｉ層などの上にフォトレジスト層またはドライフイルムレジスト膜（ＤＦＲ膜という）が形成されたものが用いられる。
インデックス基板３０ａ、３０ｂは、基板３２ａ、３２ｂと、大きさおよび素材が同一であってもよく、大きさが同一で素材が異なるものでもよい。また、インデックス基板３０ａ、３０ｂの大きさは、描画システム１０において、搬送可能な大きさであれば、基板３２ａ、３２ｂと異なっていてもよい。
【００１８】
本発明においては、識別表示部４０に記録されたインデックス基板３０ａの各識別情報と、基板に形成する画像の描画データとを予め対応付けておく。この対応関係は、生産する毎に変更することができる。本発明においては、対応関係を変更することにより、インデックス基板３０ａを再使用することができる。このため、描画する基板の数量が多くなっても、基板を特定するためのバーコードなどの貼り付け作業が不要であるため、製造時間を短縮できるとともに、製造コストも削減することができる。
【００１９】
また、このインデックス基板３０ａに設けられる識別表示部４０にＩＣタグを用いた場合、ＩＣタグの情報を書き換えることにより、識別表示部４０に記録されたインデックス基板３０ａの各識別情報を変更することができる。このため、ＱＲコード（登録商標）などの２次元コード、バーコード、品番、または識別記号よりも、汎用性が高いものとなる。
なお、インデックス基板３０ｂは、識別表示部４０に記録されたインデックス基板３０ｂの識別情報と対応付けられる基板に形成する画像の描画データが異なるだけであり、それ以外の構成は、インデックス基板３０ａと同様であるため、その詳細な説明は省略する。
【００２０】
図１に示すように、投入装置１２は、インデックス基板３０ａ、３０ｂおよび基板３２ａ、３２ｂが、例えば、積層されて収納されるものであり、これらのインデックス基板３０ａ、３０ｂおよび基板３２ａ、３２ｂを一番上から取り出す取出部（図示せず）が設けられている。
インデックス基板３０ａと、描画される３枚の基板３２ａとをまとめてロット３４ａ（以下、第１のロット３４ａという）にする。この場合、取出部が一番上から取り出すものであり、インデックス基板３０ａにより、基板３２ａの描画データが特定されることから、インデックス基板３０ａを一番上にして、その下に描画される３枚の基板３２ａが配置されている。第１のロット３４ａは、インデックス基板３０ａと、描画される３枚の基板３２ａとを備えるものである。
また、インデックス基板３０ｂと、描画される３枚の基板３２ｂとをまとめてロット３４ｂ（以下、第２のロット３４ｂという）にする。この場合、第１のロット３４ａと同様の理由で、インデックス基板３０ｂを一番上にして、その下に、描画される３枚の基板３２ｂが配置されている。第２のロット３４ｂは、インデックス基板３０ｂと、描画される３枚の基板３２ｂとを備えるものである。
【００２１】
本実施形態においては、第１のロット３４ａを上にして、第１のロット３４ａと第２のロット３４ｂとが重ねられて、投入装置１２に配置されている。投入装置１２においては、インデックス基板３０ａが一番上に載置される。
【００２２】
描画装置１４は、インデックス基板３０ａ、３０ｂに対応付けられた描画データに応じて、このインデックス基板３０ａ、３０ｂと同じロット（第１のロット３４ａ、第２のロット３４ｂ）の基板３２ａ、３２ｂに画像を形成するものである。
この描画装置１４は、読取部２０、記憶部２２、描画部２４、制御部２８および切換部２６を有するものであり、描画装置１４は、第１の搬送路αおよび第２の搬送路βの２つの搬送路を備える。
第１の搬送路αは、読取部２０から描画部２４を通ることなく、受取装置１６に搬送される経路である。また、第２の搬送路βは、読取部２０から描画部２４を通り、受取装置１６に搬送される経路である。第１の搬送路α、および第２の搬送路βの搬送路の切り換えは、切換部２６によりなされる。
また、描画装置１４は、投入装置１２と搬送部（図示せず）を介して接続されている。
【００２３】
読取部２０は、インデックス基板３０ａ、３０ｂの識別表示部４０を読み取り、インデックス基板３０ａ、３０ｂの各識別表示部４０から、識別情報を得るものである。これらの各識別情報は、制御部２８に出力される。
読取部２０においては、インデックス基板３０ａ、３０ｂおよび基板３２ａ、３２ｂの両方について読み取りを行う。しかしながら、基板３２ａ、３２ｂについては、識別表示部４０が設けられていないため、何も読み取られない。このため、制御部２８において、読取部２０において何も読み取られない場合には、基板３２ａ、３２ｂが搬送されたと認識される。
【００２４】
なお、読取部２０は、識別表示部４０から識別情報を取得することができるものであれば、特に限定されるものではない。
例えば、識別表示部４０が、バーコード、または２次元コードであれば、ＣＣＤ等を備えるエリアセンサ、または走査読取装置などを備えた公知のバーコードリーダ、または２次元コードリーダが読取部２０として用いられる。
また、識別表示部４０が、品番、または識別記号であれば、ＣＣＤ等を備えるエリアセンサと、取得された画像を解析し、品番、または識別記号を識別する識別機能を有するものが読取部２０に用いられる。
さらに、識別表示部４０に、ＩＣタグが用いられている場合、ＩＣタグリーダが読取部２０に用いられる。
【００２５】
記憶部２２は、予め対応付けられた各インデックス基板３０ａ、３０ｂと各描画データとの対応関係を記憶しておくものである。すなわち、この記憶部２２には、各インデックス基板３０ａ、３０ｂの識別表示部４０に記録されたインデックス基板３０ａ、３０ｂの各識別情報と、各描画データとが対応付けられており、この対応関係が記憶されている。
また、記憶部２２は、対応付けられた各描画データを記憶するものであり、基板３２ａ、３２ｂに形成する画像の描画データが記憶されている。このように、記憶部２２には、複数の描画データと、複数の描画データの各描画データと各インデックス基板との対応関係が記憶されている。
記憶部２２は、描画部２４に接続されており、描画データを描画部２４に出力することができ、この描画データの描画部２４への出力は、制御部２８によりなされる。
【００２６】
描画部２４は、例えば、描画データに所定の処理を施して、露光データを生成し、露光データに応じて変調した記録光によって、例えば、絶縁層、導体層、またはＳｉ層などの上にフォトレジスト層またはＤＦＲ膜を形成してなる基板に対して、像様に露光して基板に画像を形成するものである。この描画部２４は、例えば、デジタル露光手段を備えるものである。
【００２７】
描画部２４は、特に限定されるものではなく、デジタル露光手段以外にも、各種の画像露光手段を利用可能である。
描画部２４は、例えば、ＤＭＤ(Digital Micromirror Device)等の二次元空間変調素子を用いて露光データに応じて変調した記録光を基板に入射するとともに、二次元空間変調素子が画成する走査線と直交する方向に基板と光学系とを相対的に移動することにより、基板に画像を露光する画像露光手段であってもよい。また、露光データに応じて変調した光ビームを主走査方向に偏向すると共に、主走査方向と直交する方向に基板を走査搬送するか、または、光学系を移動することにより、基板に画像を露光する画像露光手段であってもよい。
また、描画部２４は、画像露光手段に限定されるものではなく、サーマル方式またはインクジェット方式のものを用いてもよい。描画部２４として、例えば、インクジェット方式のものを用いて、描画データに基づいて、基板に直接、絶縁層または配線層を形成してもよい。
なお、描画部２４が、ラスターデータを用いて描画するものである場合には、描画データをラスターデータに変換する変換部を備えるか、または描画データをラスターデータの形式で、記憶されるものである。
【００２８】
切換部２６は、上述のように、第１の搬送路αにインデックス基板３０ａ、３０ｂを搬送させ、第２の搬送路βに基板３２ａ、３２ｂを搬送させるために、搬送路を切り換えるものである。この第１の搬送路α、および第２の搬送路βの搬送路の切り換えは、読取部２０の読取結果に応じて、制御部２８によりなされる。
【００２９】
制御部２８は、読取部２０、記憶部２２、描画部２４および切換部２６に接続されており、これらを制御するものである。
例えば、読取部２０でインデックス基板３０ａの識別表示部４０が読み取られた場合、この識別表示部４０に記録されている識別情報が、読取部２０から制御部２８に出力される。これにより、制御部２８においては、インデックス基板３０ａが搬送されたことが認識される。この場合、制御部２８は、識別情報から、記憶部２２の描画データのうち、搬送されたインデックス基板３０ａと対応関係にある描画データを選択し、記憶部２２から描画データを描画部２４に出力させる。そして、インデックス基板３０ａを、第１の搬送路αを搬送させて、搬送部（図示せず）により受取装置１６に搬送させる。
【００３０】
次に、搬送される基板３２ａについて、読取部２０で読み取り、その結果、インデックス基板３０ａではなく描画すべき基板３２ｂであることが認識された場合、切換部２６を切り換えて、基板３２ａを第２の搬送路βに搬送させて描画部２４に搬送する。そして、描画部２４において、選択された描画データに基づいて、基板３２ａに画像を形成する。すなわち、選択された描画データに基づいて、基板３２ａに描画する。その後、画像が形成された基板３６ａ、すなわち、描画された基板３６ａを搬送部（図示せず）により受取装置１６に搬送する。
このように、制御部２８により、描画装置１４に搬送された基板３２ａについて、読取部２０による識別情報に基づいて、第１の搬送路αまたは第２の搬送路βに振り分け、更にインデックス基板に対応付けられた描画データに応じて画像が基板３２ａに形成される。
【００３１】
受取装置１６は、描画された後、識別表示部４０が読み取られたインデックス基板３０ａと、このインデックス基板３０ａと同じ第１のロット３４ａで、かつインデックス基板３０ａに対応付けられた描画データにより描画部２４で描画された基板３６ａとが、再度集積されるものである。
第２のロット３４ｂにおいても、同様に、識別表示部４０が読み取られたインデックス基板３０ｂと、このインデックス基板３０ｂと同じ第２のロット３４ｂで、かつインデックス基板３０ｂに対応付けられた描画データにより描画部２４で描画された基板３６ｂとが、再度集積されるものである。
この受取装置１６においては、描画装置１４から搬送されるインデックス基板３０ａ、３０ｂおよび描画された基板３６ａ、３６ｂが搬送順に載置され。この受取装置１６においても、インデックス基板３０ａ、３０ｂおよび描画された基板３６ａ、３６ｂの第１のロット３４ａ、および第２のロット３４ｂが積層して配置される。
このように、本実施形態においては、インデックス基板３０ａ、３０ｂおよび描画された基板３６ａ、３６ｂを第１のロット３４ａ、および第２のロット３４ｂに分けているため、インデックス基板３０ａ、３０ｂが描画された基板３６ａ、３６ｂの区切りの役割を果たす。このため、受取装置１６から次工程に移行する場合、描画された基板３６ａ、３６ｂを容易に見つけることができる。なお、受取装置１６は、投入装置１２と同様のものを用いることができる。
【００３２】
なお、読取部２０は、描画装置１４に必ずしも設ける必要はなく、投入装置１２に設け、識別表示部４０に記録されたインデックス基板３０ａ、３０ｂの各識別情報を描画装置１４の制御部２８に出力する構成としてもよい。
【００３３】
次に、本実施形態の描画システム１０による描画方法について説明する。
図３は、本発明の実施形態に係る描画システムによる描画方法を概略的に示す模式図である。
本実施形態の描画システム１０による描画方法においては、図１に示す第１のロット３４ａを例にして説明する。この第１のロット３４ａは、上述のように、インデックス基板３０ａと、３枚の描画される基板３２ａとにより構成されている。
【００３４】
本実施形態の描画システム１０による描画方法においては、予め、インデックス基板３０ａと描画する描画データ５０とを対応付ける。そして、この対応関係を、記憶部２２に記憶させるとともに、描画データ５０を記憶部２２に記憶させる。また、記憶部２２には、描画データ５０以外にも、複数の描画データ５０ａ、５０ｂが記憶されており、これらの描画データ５０ａ、５０ｂも、それぞれ他のインデックス基板（図示せず）と対応付けられており、これらの対応関係は、記憶部２２に記憶されている。
【００３５】
インデックス基板３０ａと、３枚の描画される基板３２ａとは、インデックス基板３０ａを一番上にして、画像を描画される基板３２ａを重ねて第１のロット３４ａが構成されて、投入装置１２に配置されている。
この状態で、投入装置１２からインデックス基板３０ａが描画装置１４に搬送される。
次に、搬送装置１４においては、インデックス基板３０ａが、読取部２０（図１参照）で、識別表示部４０が読み取られ、インデックス基板３０ａの識別情報が取得される。
読取部２０から制御部２８に、インデックス基板３０ａの識別情報が出力される。これにより、制御部２８においては、インデックス基板３０ａが認識されるとともに、この識別情報に基づいて、記憶部２２から、インデックス基板３０ａと対応関係にある描画データ５０が選択される。この描画データ５０は、記憶部２２から描画部２４に出力される。
【００３６】
また、認識されたインデックス基板３０ａは、制御部２８により切換部２６が切り換えられて、第１の搬送路αを搬送されて搬送部により受取装置１６に搬送される。
次に、基板３２ａが搬送された場合、読取部２０で、読み取りを行うが、識別表示部４０が設けられておらず、何も読み取られない。このため、制御部２８において、インデックス基板３０ａではなく基板３２ａと認識される。これにより、制御部２８により切換部２６が切り換えられて、基板３２ａは、第２の搬送路βを搬送されて描画部２４に搬送される。そして、描画データ５０に基づいて基板３２ａに画像が形成され、描画された基板３６ａが受取装置１６に搬送される。第１のロット３４ａの基板３２ａについては、全て同様に描画データ５０に基づいて画像が形成され、描画された基板３６ａが搬送部により受取装置１６に搬送される。これにより、受取装置１６においては、インデックス基板３０ａを下にして、描画された基板３６ａが載置されて再度第１のロット３４ａが構成される。このようにして、第１のロット３４ａについて、描画された基板３６ａが得られる。
【００３７】
第２のロット３４ｂ（図１参照）についても、第１のロット３４ａと同様に、インデックス基板３０ｂ（図１参照）が搬送されると、読取部２０に識別表示部が読み取られ、制御部２８において、インデックス基板３０ｂが認識されて、制御部２８により、記憶部２２から対応関係にある描画データが選択されて、この選択された描画データが、描画部２４に出力される。そして、描画データに基づいて描画部２４で基板３２ｂに画像が形成され、描画された基板３６ｂが得られる。この場合においては、次のロットのインデックス基板が描画装置１４に搬送されるまで、インデックス基板３０ｂと対応付けられた描画データにより基板３２ｂが描画され、描画された基板３６ｂが得られる。そして、受取装置１６（図１参照）においては、図１に示すように、インデックス基板３０ｂを下にして、描画された基板３６ｂが載置されて再度第２のロット３４ｂが構成される。
【００３８】
本実施形態においては、インデックス基板と描画データとを予め対応付けておき、この対応関係を描画装置１４の記憶部２２に対応関係を記憶するとともに、描画データを記憶しておく。そして、インデックス基板と基板とをまとめて、ロットを構成しておき、投入装置１２に配置しておく。描画装置１４においては、読取部２０で取得された識別情報に応じて、インデックス基板か、描画すべき基板かが判別されるとともに、インデックス基板であれば、識別表示部に記録された識別情報に基づいて、インデックス基板と対応関係にある描画データが記憶部２２から選択される。そして、選択された描画データに基づいて描画部２４で基板が描画される。このため、インデックス基板と描画データとを予め対応付けて、インデックス基板と基板とにより構成されるロットを投入装置１２に配置することにより、描画部２４で基板を描画することができ、人が行う作業が大幅に減らすことができる。
このように、本実施形態においては、描画する基板を識別するために、バーコード、２次元コード、品番などを描画する基板に付すことが不要となり、煩雑な作業が不要となり、作業性を向上させることができるとともに、描画する基板を間違えることが減る。これにより、生産性を向上させることができる。
【００３９】
特に、プリント配線基板などを多品種、少量生産する場合には、従来では、製造する複数種類の基板をそれぞれ識別するためにバーコード、２次元コード、品番などを各基板に付す必要があるが、本実施形態においては、インデックス基板と描画データとを予め対応付けておき、この対応関係を描画装置１４の記憶部２２に記憶させているため、製造する各基板に、バーコード、２次元コード、品番などを付すことが不要であるとともに、この作業による描画する基板を間違えるというミスも減る。このようなことから、本実施形態においては、多品種を少量製造する場合、生産性を更に向上させることができ、好適である。
さらには、本実施形態においては、インデックス基板を再利用できるため、従来のようにバーコード、２次元コード、品番などを各基板に付す必要がなく、多品種、少量生産する場合でも、大量生産する場合でも、製造コストを減らすことができる。
【００４０】
以上、本発明の描画方法および描画システムについて詳細に説明したが、本発明は、上記実施形態に限定はされず、本発明の要旨を逸脱しない範囲において、各種の変更や改良を行ってもよいのは、もちろんである。
【図面の簡単な説明】
【００４１】
【図１】本発明の実施形態に係る描画システムを示すブロック図である。
【図２】本発明の実施形態に係る描画システムに用いられるインデックス基板を示す模式的斜視図である。
【図３】本発明の実施形態に係る描画システムによる描画方法を概略的に示す模式図である。
【符号の説明】
【００４２】
１０  描画システム
１２  投入装置
１４  描画装置
１６  受取装置
２０  読取部
２２  記憶部
２４  描画部
２６  切換部
２８  制御部
３０ａ、３０ｂ  インデックス基板
３２ａ、３２ｂ  基板
３４ａ  ロット（第１のロット）
３４ｂ  ロット（第２のロット）
３６ａ、３６ｂ  描画された基板
４０  識別表示部
５０、５０ａ、５０ｂ  描画データ
【図１】
2008250144.tif 000003
【図２】
2008250144.tif 000004
【図３】
2008250144.tif 000005